(57)【要約】  【課題】自動販売機の商品取出口装置に関し、商品搬出の際、商品飲料のフォーミング性向上を図るものである。  【解決手段】商品取出口前面板３ｃを覆い、商品を受容する際に保護する搬出緩衝材１０ａの形状が挟み込み形状１０ｂを有することにより底部シート９の端面を挟み込み、底部シート９が上下に可動する形状とし、商品が底部シート９に落下する際に、衝撃が緩和されることによって、商品飲料のフォーミング性を向上した自動販売機の商品取出口装置を提供できるものである。【選択図】図１
2006244110.tif 000002
【特許請求の範囲】
【請求項１】
自動販売機の外扉に装備し、庫内の商品収容ラックから搬出シュートを経て搬出し商品を受容して前記商品を取り出される商品取出口と、前記搬出シュートに対面する内側面に設けられ前記商品取出口前面板と、前記商品取出口前面板を覆い、前記商品を受容する際保護する搬出緩衝材と、前期商品取出口の底板と、前記底板の上部を覆う底部シートとからなり、前記搬出緩衝材形状が前記底部シートの端面を挟み込み、前記底部シートが上下に可動することを特徴とした自動販売機の商品取出口装置。
【請求項２】
前記搬出緩衝材の内側面に、商品が受容衝撃を緩和する軟質中空部を設けることを特徴とした請求項１に記載の自動販売機の商品取出口装置。
【請求項３】
前記搬出緩衝材の内側面に、商品が受容衝撃を緩和する軟質中空部を設け、前記軟質中空部表面に潤滑コーティングを施すことを特徴とした請求項２に記載の自動販売機の商品取出口装置。
【発明の詳細な説明】
【技術分野】
【０００１】
本発明は缶入り飲料などの商品を販売する自動販売機の商品取出口装置に関するものである。
【背景技術】
【０００２】
近年、缶入り飲料などの商品を販売する自動販売機は、商品の開栓時の泡立ちを防ぐため、緩衝材の改善に取り組み向上を図ってきた。
【０００３】
まず、図４は一般に缶入り飲料などの商品を販売する自動販売機の構成図である。図４において、自動販売機の本体１の前面に設けられた外扉２と、外扉２の下部に設けた商品取出口３と、断熱内扉４と、本体１の庫内に搭載した商品収容ラック５と、商品収容ラック５から商品取出口３に搬出する搬出シュート６である。
【０００４】
以上のように構成された自動販売機について、以下にその動作を説明する。
【０００５】
まず、商品販売指令により商品収容ラック５から搬出した商品は搬出シュート６に落下し、搬出シュート６の傾斜を商品の自重で滑り落ち、断熱内扉４に設けられたフラッパ７を押し開けて商品取出口３の中に転がり落ち受容される。そして、自動販売機利用客は商品取出口３の前面に配した取出口扉８を開いて内部に手を差し入れ、商品を掴んで取出すことができる。
【０００６】
次に図５は、従来の自動販売機の商品取出口装置の構成図である。以下、図面を参照しながら上記従来の自動販売機の商品取出口装置を説明する。図５に示すように従来の自動販売機の商品取出口装置は、商品取出口３の底板３ａに樹脂製底部シート９と、前面板３ｂに勘合する断面逆Ｕ字状をなす硬質樹脂製の搬出緩衝材１０と、商品取出口３内部には開閉角度により、庫外から手や棒を庫内に入るのを防ぐための防盗プレート１１とから構成されている。
【０００７】
以上のように構成された自動販売機の商品取出口装置について、以下その動作を説明する。
【０００８】
まず、断熱内扉４に設けられたフラッパ７を押し開けて商品取出口３の中に転がり落ちた商品は、商品飲料のフォーミングを防ぐため、搬出緩衝材１０に当たり、底部シート９に落下し、商品取出口３に受容される。そして、自動販売機利用客は商品取出口３の前面に配した取出口扉８を開いて内部に手を差し入れ、商品を掴んで取出すことができる。
【特許文献１】特開平８−３１５２３０号公報
【発明の開示】
【発明が解決しようとする課題】
【０００９】
しかしながら、上記従来の構成は、底部シート９のクッション性がなく、搬出緩衝材１０においても、十分な緩衝が得られていないという課題を有していた。それは、自動販売機の据え付け・設置において道路へのはみ出し防止のため、自動販売機の薄型構造の設計にしている。しかしながら、庫内への商品収容本数は減らさずに薄型構造の設計を行うと外扉２の奥行き寸法が縮まり、商品取出口３の奥行き寸法も必然的に縮減される。このために、搬出緩衝材１０や底部シート９は比較的厚みが薄いものが採用されており、厚いものを採用すると商品取出口３の内容積を低減させ、商品を掴む寸法がないということである。
【００１０】
本発明は従来の課題を解決するもので、自動販売機の奥行き寸法を変えずに、また、底部シート９や搬出緩衝材１０の厚みを変えずに、商品飲料のフォーミング性を向上できる自動販売機の商品取出口装置を提供することを目的とする。
【課題を解決するための手段】
【００１１】
上記従来の課題を解決するために、本発明の自動販売機の商品取出口装置は、搬出緩衝材形状が底部シートの端面を挟み込み、前記底部シートが上下に可動することにより、商品飲料のフォーミング性を向上させた自動販売機の商品取出口装置を提供するものである。
【００１２】
これによって、商品が底部シートに落下する際、衝撃が緩和され商品飲料のフォーミング性を向上することになる。
【００１３】
また、本発明の自動販売機の商品取出口装置は、前記発明をさらに、前記搬出緩衝材の内側面に、商品が受容衝撃を緩和する軟質中空部を設けることにより、商品飲料のフォーミング性を向上させた自動販売機の商品取出口装置を提供するものである。
【００１４】
これによって、商品が断熱内扉に設けられたフラッパを押し開けて商品取出口の中に転がり落ちる際、商品が前記搬出緩衝材の軟質中空部に当たり、衝撃が緩和され商品飲料のフォーミング性を向上することになる。
【００１５】
また、本発明の自動販売機の商品取出口装置は、前記発明をさらに、前記軟質中空部表面に潤滑コーティングを施すことにより、商品を取出す際、商品の滑りを向上させた自動販売機の商品取出口装置を提供するものである。
【００１６】
これによって、自動販売機利用客は商品取出口の内部に手を差し入れ、商品を掴む際、前記搬出緩衝材に軟質中空部が設けられていても、前記軟質中空部表面に潤滑コーティングを施されているので、商品の滑りがよく、商品を掴み易くすることができる。
【発明の効果】
【００１７】
本発明の自動販売機の商品取出口装置は、搬出緩衝材形状が底部シートの端面を挟み込み、前記底部シートが上下に可動することにより、商品が前記底部シートに落下する際、衝撃が緩和されるので、商品飲料のフォーミング性を向上させることができる。
【００１８】
また、本発明の自動販売機の商品取出口装置は、前記発明をさらに、前記搬出緩衝材の内側面に、軟質中空部を設けることにより、商品が前記搬出緩衝材に当たる際、前記軟質中空部に当たるので、衝撃が緩和され商品飲料のフォーミング性を向上させることができる。
【００１９】
また、本発明の自動販売機の商品取出口装置は、前記発明をさらに、前記軟質中空部表面に潤滑コーティングを施すことにより、商品を取出す際、商品の滑りを向上させるので、商品の滑りがよく、商品を掴み易くすることができる。
【発明を実施するための最良の形態】
【００２０】
請求項１に記載の発明は、搬出緩衝材形状が底部シートの端面を挟み込み、前記底部シートが上下に可動する形状とし、商品が前記底部シートに落下する際、衝撃が緩和されるので、商品飲料のフォーミング性を向上させることができる。
【００２１】
請求項２に記載の発明は、請求項１に記載の発明で、さらに、前記搬出緩衝材の内側面に、軟質中空部を設けた形状とし、商品が前記搬出緩衝材に当たる際、前記軟質中空部に当たるので、衝撃が緩和され商品飲料のフォーミング性を向上させることができる。
【００２２】
請求項３に記載の発明は、請求項２に記載の発明で、さらに、前記軟質中空部表面に潤滑コーティングを施した加工とし、商品を取出す際、商品の滑りを向上させるので、商品の滑りがよく、商品を掴み易くすることができる。
【００２３】
以下、本発明の実施の形態について、図面を参照しながら説明するが、従来例または先に説明した実施の形態と同一構成については同一符号を付して、その詳細な説明は省略する。なお、この実施の形態によって本発明が限定されるものではない。
【００２４】
（実施の形態１）
図１は、本発明の実施の形態１における自動販売機の商品取出口装置の構成図である。
【００２５】
図１に示すように、自動販売機の商品取出口装置は基本的に図４に示した従来構造と同様であるが、商品取出口３の前面板３ｃに勘合する断面逆Ｕ字状をなす硬質樹脂製の前面緩衝材１０ａが底部シート９の端面を挟み込む形状１０ｂとなっており、商品飲料のフォーミング性を向上させるために、商品が底部シート９に落下する際、衝撃が緩和されるように、底部シート９が上下に可動するようになっている。なお、底部シート９は樹脂製のものが好ましいが、柔軟性のある他の材料でも構わない。
【００２６】
以上のように構成された自動販売機の商品取出口装置について、以下にその動作を説明する。
【００２７】
まず、商品販売指令により商品収容ラック５から搬出した商品は搬出シュート６に落下し、搬出シュート６の傾斜を商品の自重で滑り落ち、断熱内扉４に設けられたフラッパ７を押し開けて商品取出口３の中に転がり落ち受容される。その時、商品が底部シート９に落下する際、衝撃が緩和されるように、前面緩衝材１０ａが底部シート９の端面を挟み込む形状１０ｂとなっており、底部シート９が上下に可動するようになっているので、商品飲料のフォーミング性を向上することができる。
【００２８】
図２は、本発明の実施の形態１における自動販売機の商品取出口装置の商品取出口前面緩衝材部品詳細図である。
【００２９】
本実施の形態は、自動販売機の商品取出口装置に、さらに、商品が搬出緩衝材１０ａに当たる位置に、搬出緩衝材１０ａの内側面に軟質中空部１０ｃを設けた形状となり、構成されている。
【００３０】
以上のように構成された自動販売機の商品取出口装置について、以下にその動作を説明する。
【００３１】
まず、商品販売指令により商品収容ラック５から搬出した商品は搬出シュート６に落下し、搬出シュート６の傾斜を商品の自重で滑り落ち、断熱内扉４に設けられたフラッパ７を押し開けて、搬出緩衝材１０ａに当たる際、搬出緩衝材１０ａの内側面に軟質中空部１０ｃを設けた形状となっているので、衝撃が緩和され、商品飲料のフォーミング性を向上することができる。
【００３２】
図３は、本発明の実施の形態１における自動販売機の商品取出口装置の潤滑コーティングを施した搬出緩衝材部品詳細図である。
【００３３】
本実施の形態は、自動販売機の商品取出口装置に、さらに、搬出緩衝材１０ａに軟質中空部１０ｃ表面に潤滑コーティング加工１０ｄを施すことで、商品を取出す際、商品の滑りを向上させたことにより、商品を掴み易くしたものである。
【００３４】
以上のように構成された自動販売機の商品取出口装置について、以下にその動作を説明する。
【００３５】
まず、自動販売機利用客は商品取出口３の前面に配した取出口扉８を開いて内部に手を差し入れ、商品を掴む際、搬出緩衝材１０ａの軟質中空部１０ｃに潤滑コーティング加工１０ｄを施しているので、商品の滑りが良く、商品を掴み易くすることができる。
【産業上の利用可能性】
【００３６】
以上のように、本発明にかかる自動販売機の商品取出口装置は、商品取出口前面板を覆い商品を受容する際保護する搬出緩衝材形状が底部シートの端面を挟み込み、底部シートが上下に可動する動作により、商品が底部シートに落下する際、衝撃が緩和され、クッション性を向上させることができるので、缶入り飲料などの商品を販売する自動販売機以外にも、たばこや切符の自動販売機の商品取出口装置等の用途にも適用できる。
【図面の簡単な説明】
【００３７】
【図１】本発明による自動販売機の商品取出口装置の実施の形態１の構成図
【図２】本発明による自動販売機の商品取出口装置の実施の形態１の商品取出口前面緩衝材部品詳細図
【図３】本発明による自動販売機の商品取出口装置の実施の形態１の潤滑コーティング加工を施した搬出緩衝材部品詳細図
【図４】従来の自動販売機の構成図
【図５】従来の自動販売機の商品取出口装置の構成図
【符号の説明】
【００３８】
３    商品取出口
３ｃ  前面板
６    搬出シュート
９    樹脂製底部シート（底部シート）
１０ａ  搬出緩衝材
１０ｂ  挟み込み形状
１０ｃ  軟質中空部
１０ｄ  潤滑コーティング加工
【図１】
2006244110.tif 000003
【図２】
2006244110.tif 000004
【図３】
2006244110.tif 000005
【図４】
2006244110.tif 000006
【図５】
2006244110.tif 000007